(57)【特許請求の範囲】
【請求項１】
第１のりん本体（１）と第２のりん本体（２）を接続したりん具であって、第１のりん本体（１）と第２のりん本体（２）とはそれぞれドーナツ形状の接地面形状になっていて、台座を用いることなく上部に位置する第１のりん本体（１）と下部に位置する第２のりん本体（２）とを縦方向に上部と下部を反転させ、第１のりん本体（１）を下部に位置せしめ、第２のりん本体（２）を上部に位置せしめても安定直立する反転設置可能であることを特徴としたりん具
【請求項２】
りんの縦軸方向にそった概略中央部に第１のりん本体（１）と第２のりん本体（２）を貫く中空部（５）を有することを特徴とした請求項１に記載のりん具
【請求項３】
反転させる際につまむためのつまみ部（６）を有することを特徴とした請求項１または２に記載のりん具
【発明の詳細な説明】
【技術分野】
【０００１】
本発明はりん棒、撥などで叩くことにより先祖を供養したり、信仰するものを祭る祭壇あるいは、愛玩動物用など供養するために利用するりん具に関するものである。
【背景技術】
【０００２】
従来のりん具は特願２００２−１３１２０９（Ｐ２００３−３１９８６９Ａ）、実用新案登録第３１３２４６３号（Ｕ３１３２４６３）に見られるようなりん本体二つをりん本体の開放部を向かい合わせにして、位置関係を調整したり音響を調整するためのりん具が提案されている。
【特許文献１】実用新案登録番号第３１３２４６３号
【特許文献２】特願２００２−１３１２０９（Ｐ２００３−３１９８６９Ａ）
【発明の開示】
【発明が解決しようとする課題】
【０００３】
しかしながら、上部に位置する第１のりん本体と下部に位置する第２のりん本体との全体的な位置関係は設置したままの状態であまり変わるものではなく、第１のりん本体と第２のりん本体の音の違いや反響を生かす工夫はこれといったものがなかった。
【０００４】
このため、せっかくの音の違いや反響しあう音を楽しむ方法に制約があり、あまり音のバリエーションを楽しめるりん具の仕組みを備えてはいなかった。
【課題を解決するための手段】
【０００５】
本発明に係るりん具は、第１のりん本体（１）と第２のりん本体（２）を接続したりん具であって、第１のりん本体（１）と第２のりん本体（２）とはそれぞれドーナツ形状の接地面形状になっていて、台座を用いることなく上部に位置する第１のりん本体（１）と下部に位置する第２のりん本体（２）とを縦方向に上部と下部を反転させ、第１のりん本体（１）を下部に位置せしめ、第２のりん本体（２）を上部に位置せしめても安定直立する反転設置可能であることを特徴とする。
つまり、上部と下部との第１のりん本体（１）と第２のりん本体（２）を反転リバースさせても、安定直立して、撥やりん棒で叩いても安全に安定したりん具としたことで、上部と下部の位置関係を替えてのバリエーションを楽しめるりん具にすることができた。ここで、２つのりん本体を組み合わせたりん本体を複合りん本体（４）と定義する。
【０００６】
台座（３）用いて、上部に位置する第１のりん本体（１）と下部に位置する第２のりん本体（２）とを上部と下部を縦方向に反転させ、第１のりん本体（１）を下部に位置せしめ、第２のりん本体（２）を上部に位置せしめても安定直立するようにしてもよい。第１のりん本体（１）と第２のりん本体（２）からなる複合りん本体（４）と台座（３）からなるようにする方法である。第１のりん本体（１）が下部になろうとも、安定せしめるように第１のりん本体（１）と台座（３）とが、安定接触する構造になっていればよい。
【０００７】
りんの縦軸方向にそった概略中央部に第１のりん本体と第２のりん本体を貫く中空部（５）を有することを特徴としたりん具にしてもよい。
【０００８】
複合りん本体（４）に第１のりん本体（１）と第２のりん本体（２）を貫く中空部（５）を持つことで、そこにりん棒（８）などを置くスペースを確保でき、便利である。もちろん、りん棒（８）以外にも、線香を入れて、線香立ての代わりにしても良いし、紙を丸めて収納してもよい。また、この部分に積極的にモノを納めることで、音の周波数特性に変化を起こさせることができるため、積極的に音を変化させるのに、便利である。
【０００９】
つまみ部を設けることで手でつまんで簡便に反転することができて便利である。円形状の板状のものであれば、見栄えもよく、デザイン的にも感じがよい。また、円形状のものは、上部に位置するりんの音を特に反響させ、強調する構造に適している。
【００１０】
第１のりん本体（１）もしくは第２のりん本体（２）に１以上複数のりん本体を付与したことを特徴とした３以上複数からなるりん具は、複雑な音色を出しやすい。
【発明の効果】
【００１１】
本発明で請求項１の発明によれば、一定の音色でしか楽しめなかったりん具をバリエーションを広くすることができて便利である。特に上部に位置するりん本体の音が強調されて、下部に位置するりん本体の音が、隠れやすかった。これを反転設置させることで、従来聞きづらかった第２のりん本体の音が上部になることで、叩きやすくなることも、加わり、より、強調され聞きやすくなった。
【００１２】
また、第１もしくは第２のりん本体の形状によっては、下部に位置するりん本体と設置場所との下部の接触具合によって、消音効果を大いに期待できる。
【００１３】
安定設置可能なりん具の形状のバリエーションを広げることができる。安定設置の場合に、複合りん本体下部が広がっている必要があるが、台座を用いることで、それをスムーズに解消することができる。
【００１４】
複合りん本体（４）に第１のりん本体（１）と第２のりん本体（２）を貫く中空部（５）を持つことで、そこにりん棒（８）などを置くスペースを確保でき、便利である。もちろん、りん棒（８）以外にも、線香を入れて、線香立ての代わりにしても良いし、紙を丸めて収納してもよい。また、この部分に音響変化を想定した形状のものを納めることで、音の周波数特性に変化を起こさせることができるため、積極的に音を変化させることができる。
【００１５】
つまみ部を設けることで、手を使って、簡便に反転することができて便利である。第１のりん本体もしくは、第２のりん本体を直接持つ必要がないため、第１のりん本体もしくは第２のりん本体が汚れにくい。また、仏壇など遠方に位置するところに設置したり、取り除いたりするときに、仏器を移動するための仏器さしのようなものを利用するのに都合がよい。円形状の板状のものであれば、見栄えもよく、デザイン的にも感じがよい。また、円形状のものは、上部に位置させたほうのりん本体を特に反響させ、強調する構造に適している。
【００１６】
りん本体（１）もしくは第２のりん本体（２）に１以上複数のりん本体を付与したことを特徴とした３以上複数からなるりんは、複雑な音色を出しやすい。見た目にもゴージャスである。
【発明を実施するための最良の形態】
【００１７】
本発明のりんの具体的な形態について、各図面に基づいて説明する。実際の形状は縦軸を中心とした回転体である。簡明のために、特に注釈がない図面は全て、回転体の軸を基準とした説明縦端面図で表してある。端面図であるが、斜線は簡明のため省略する。
【実施例１】
【００１８】
図１は説明縦端面図である。以下の図面も同様である。実際のものは縦軸を中心とした回転体である。従って、第１のりん本体（１）及び第２のりん本体（２）の接地面はドーナツ状の接地面形状になっている。この形態は、第１のりん本体（１）と第２にりん本体（２）から、構成されている。第１及び第２のりん本体は、金属が適切である。特に青銅、真鍮、などの銅合金は響きがよい。鉄も同様に感じよく響きやすい。とはいえ、響きやすくりんとして、適切であれば材質にこだわらない。通常の大きさは、１センチ〜１０センチ程度が、もちやすいため、反転させやすく、手ごろである。もちろん、適宜、ユーザーの要望に応じた大きさでよく、特に制限はない。上部に位置する第１のりん本体（１）と下部に位置するりん本体（２）を反転することでも安定して、りんとして提供することが可能である。
図３は、反転前と反転後の形状変化を示したものである。端部（１ａ，１ａ）と（２ａ，２ａ）との一方を下にするだけで台座がなくとも安定する。図４の形態のように縦方向に細長い意匠であってもよい。第１のりん本体（１）と第２のりん本体（２）との接続方法は、一体成形となっていてもよいし、ネジ結合や溶接、挟着接合でも、方法はとく問わない。もちろん接続部材などを持ちいてつなげてもよい。第１のりん本体（１）と第２のりん本体（２）とは同じ形状である必要もないし、同じ音質、同じ材質である必要もない。
【実施例２】
【００１９】
図２は台座（３）を用いた本発明の実施例である。この形態は第１のりん本体（１）を反転させて下部にきても、第２のりん本体（２）のようにうまく、設置できるような形状となっている。台座（３）は従来からあるりん座布団のようなやわらかなものであってもよい。むしろ、やわらかな座布団のような緩衝材は、密着性がよく、便利である。台座（３）の材質に限定はない。ただ、安定感を得るために、金属、陶器などの、密度の高いものがずれにくいため適している。この形態では、台座（３）は固定され、複合りん（４）のみ反転させて使用する。
【００２０】
第１のりん本体（１）と第２のりん本体（２）とは接続部材（７）で接続されている。
接続部材（７）に限定は特にない。図５のような形態も同様に台座（３）を利用した形態である。このように、台座（３）を利用することで、複合りん（４）のバリエーションが広がる。
【実施例３】
【００２１】
図７は本発明の説明図であって、簡便のために縦端面図で表している。簡便のため、斜線は省略してある。この説明縦断面図において、複合りん（４）の縦軸方向にそった概略中央部に第１のりん本体（１）と第２のりん本体（２）を貫く中空部（５）を有している形態である。図８も同様な形態である。複合りん本体（４）は端面図で表し斜線は省略している。説明のため、りん棒（８）は正面からみた形状で図示している。
【実施例４】
【００２２】
図６はつまみ部（６）と有している本発明のりん具である。つまみ部（６）は図のような円形の必要はなく、摘みやすい形状であれば、形状は問わないが、円形状であるほうが、見た目もよく、上部に位置する第１もしくは第２のりん本体の音色を強くする役目も果す。
【実施例５】
【００２３】
第１のりん本体（１）もしくは第２のりん本体（２）に別のりん本体を付与させた形状であると、複雑な音色が楽しめてよい。付与する形態は溶接、ネジ結合などさまざまな形態がある。適切な形態をとればよく、特に必然的な付与形態は限定されない。また、本発明はりん棒、撥などで叩くことにより先祖を供養したり、信仰するものを祭る祭壇あるいは、愛玩動物用など供養するために利用するりん具に関するものであるが、呼び鈴として、用いてもよい。
【図面の簡単な説明】
【００２４】
【図１】本発明の実施形態を示す説明縦端面図である。
【図２】本発明の実施形態を示す説明縦端面図である。
【図３】本発明の実施形態を示す説明縦端面図である。
【図４】本発明の実施形態を示す説明縦断面図である。
【図５】本発明の実施形態を示す説明縦端面図である。
【図６】本発明の実施形態を示す説明縦端面図である。
【図７】本発明の実施形態を示す説明縦端面図である。
【図８】本発明の実施形態を示す説明図である。
【符号の説明】
【００２５】
１        第１のりん本体
２        第２のりん本体
３        台座
４        複合りん本体
５        中空部
６        つまみ部
７        接続部材
８        りん棒
【図１】
0004727697.tif 000002
【図２】
0004727697.tif 000003
【図３】
0004727697.tif 000004
【図４】
0004727697.tif 000005
【図５】
0004727697.tif 000006
【図６】
0004727697.tif 000007
【図７】
0004727697.tif 000008
【図８】
0004727697.tif 000009